(57)【特許請求の範囲】
【請求項１】
空気の流れを発生させるファンと、前記空気の流通により冷却される第１〜第３熱交換器と、前記空気の吸入口および排出口を有し前記ファンおよび前記第１〜第３熱交換器を格納する前記機械室とを備え、前記第２，第３熱交換器のそれぞれが前記第１熱交換器の前面側に配置されて、前記空気の流れに対して前記第１熱交換器と直列に配置されるとともに、前記第２，第３熱交換器が上下に並列に配置される作業機械において、
前記第２熱交換器の上端部および下端部の一方が前記第１熱交換器から所定の間隔を有して離れた状態であって、他方が前記第１の熱交換器に近接した状態となるように前記第２の熱交換器を第１の熱交換器に対して傾けて配置し、
前記第１の熱交換器と前記第２熱交換器との間に形成される空間の上面側または下面側に形成される開口部を塞ぐ位置に、前記第３熱交換器を配置し、
前記第３熱交換器を、左右両側部の一方側を中心として回動可能に設ける
ことを特徴とする作業機械。
【請求項２】
請求項１に記載の発明において、
前記第１熱交換器の左右両側部と前記第２熱交換器の左右両側部とを一対のブラケットを介して固定し、この一対のブラケットのそれぞれを、前記第１熱交換器と前記第２の熱交換器との間に形成される空間の左右両側面部にそれぞれ形成される側部開口部を塞ぐように配置した
ことを特徴とする作業機械。
【請求項３】
請求項１に記載の発明において、
前記機械室の左右両側部のうち、前記第３熱交換器の回動中心側とは反対側である他方側の側部には、回動により開閉する扉が設けられた
ことを特徴とする作業機械。
【発明の詳細な説明】
【技術分野】
【０００１】
本発明は、空気の流れを発生させるファンと、空気の流通により冷却される複数の熱交
換器と、空気の吸込口および排出口を有しファンおよび複数の熱交換器を格納する機械室
とを備える作業機械に関する。
【背景技術】
【０００２】
従来の作業機械としては、例えば特許文献１に示される従来技術がある。この従来技術
は、空気の流れを発生させるファンと、空気の流通により冷却される第１〜第３熱交換器
、例えばラジエータ、インタークーラ、オイルクーラと、空気の吸入口および排出口を有
しファン、ラジエータ、インタークーラおよびオイルクーラを格納する機械室とを備えて
いる。
【０００３】
機械室内に形成されるスペースの前側は、エンジンが配置されるエンジンルームであり
、後側はファンおよび第１〜第３熱交換器が配置されるクーリングルームである。これら
エンジンルームとクーリングルームは、隔壁によって仕切られている。ファンは、吸い込
み型のファンからなり、クーリングルームの後部に配置されている。空気の吸入口は、ク
ーリングルームの前部に設けられており、空気の排出口は、ファンの後方であって機械室
の後端部に設けられている。
【０００４】
ラジエータは、ファンの前方に配置され、支持フレームを介して固定されている。イン
タークーラとオイルクーラのそれぞれは、ラジエータの前方で空気の流れに対してラジエ
ータと直列に配置されている。オイルクーラはインタークーラの下方に配置されている。
【０００５】
インタークーラは、肉厚で大径の配管によりエンジンに接続されているとともに、ラジ
エータの支持フレームに、ラジエータから離れる方向へ回動可能に設けられている。イン
タークーラを回動可能にする構造は、支持フレームの左右両側部のそれぞれから前方に延
設される一対の第１ブラケットのそれぞれと、インタークーラ上部の左右両側部のそれぞ
れから前方に延設された一対の第２ブラケットのそれぞれとを回動可能に結合させてなる
。これにより、インタークーラの回動中心がインタークーラの上部の前方であってインタ
ークーラから離隔した位置に設定され、この結果、インタークーラをラジエータから離れ
る方向へ回動させる際に、インタークーラの回動に伴う配管の変形量が小さくて済むよう
になっている。
【０００６】
このように構成された従来技術では、作業者は、例えばラジエータの前面を清掃する際
に、インタークーラをラジエータから離れる方向へ回動させることによって、インターク
ーラとラジエータとの間に、清掃用具を挿入可能な清掃作業スペースを形成する。
【０００７】
そして、清掃終了後、作業者はインタークーラをラジエータに近づく方向に回動させて
、ラジエータに近接した元の位置に戻す。ラジエータが元の位置にある状態では、隔壁と
インタークーラとの間に空気を導くのに十分な導風スペースが形成されている。
【特許文献１】特開２００２−２６４６６５公報
【発明の開示】
【発明が解決しようとする課題】
【０００８】
前述した従来技術において、インタークーラ（第２熱交換器）と同様にオイルクーラ（第３熱交換器）もラジエータ（第１熱交換器）から離れる方向へ回動可能に設ける場合、インタークーラおよびオイルクーラとラジエータとの間に清掃作業スペースを形成する際に、インタークーラとオイルクーラの両方を回動させる必要がある。つまり、インタクーラおよびオイルクーラとラジエータとの間に清掃作業スペースを形成する作業が煩雑になるという問題が生じる。
【０００９】
本発明の目的は、第１熱交換器の前方で空気の流れに対して第１熱交換器と直列に配置され、互いに上下に並列に配置される第２，第３熱交換器を備えるものにおいて、第２，第３熱交換器と第１熱交換器との間に清掃作業スペースを形成する作業を簡単に行うことができる作業機械を提供することにある。
【課題を解決するための手段】
【００１０】
〔１〕  本発明は、前述の目的を達成するために、空気の流れを発生させるファンと、前記空気の流通により冷却される第１〜第３熱交換器と、前記空気の吸入口および排出口を有し前記ファンおよび前記第１〜第３熱交換器を格納する前記機械室とを備え、前記第２，第３熱交換器のそれぞれが前記第１熱交換器の前面側に配置されて、前記空気の流れに対して前記第１熱交換器と直列に配置されるとともに、前記第２，第３熱交換器が上下に並列に配置される作業機械において、前記第２熱交換器の上端部および下端部の一方が前記第１熱交換器から所定の間隔を有して離れた状態であって、他方が前記第１の熱交換器に近接した状態となるように前記第２の熱交換器を第１の熱交換器に対して傾けて配置し、前記第１の熱交換器と前記第２熱交換器との間に形成される空間の上面側または下面側に形成される開口部を塞ぐ位置に、前記第３熱交換器を配置し、前記第３熱交換器を、左右両側部の一方側を中心として回動可能に設けることを特徴とする。
【００１１】
このように構成した本発明では、第３熱交換器のみを第１熱交換器から離れる方向へ回動させることによって、第２，第３熱交換器と第１熱交換器との間に清掃作業スペースを形成することができるので、第２，第３熱交換機と第１熱交換器との間に清掃作業スペースを形成する作業を簡単に行うことができる。
【００１２】
また、第２熱交換器を傾けて配置してあるので、第２熱交換器の前方に隔壁等の部材が立設させた場合であっても、その部材と第２熱交換器との間、すなわち第２熱交換器の前方に、空気を導くための導風スペースを確実に形成することができる。
【００１３】
また、第２熱交換器の上端部および下端部の他方を、第１熱交換器に近接させてあるので、第２熱交換器の他方の端部側から第１熱交換器と第２熱交換器との間への空気の浸入を防止できる。
【００１４】
〔２〕  本発明は、〔１〕に記載の発明において、前記第１熱交換器の左右両側部と前記第２熱交換器の左右両側部とを一対のブラケットを介して固定し、この一対のブラケットのそれぞれを、前記第１熱交換器と前記第２の熱交換器との間に形成される空間の左右両側面部にそれぞれ形成される側部開口部を塞ぐように配置したことを特徴とする。
【００１５】
このように構成した本発明では、一対のブラケットによって前記第１熱交換器と前記第
２の熱交換器との間に形成される空間の左右両側面部にそれぞれ形成される側部開口部か
ら第１熱交換器と第２熱交換器との間への空気が浸入することを防止できる。
【００１６】
〔３〕  本発明は、〔１〕記載の発明において、前記機械室の左右両側部のうち、前記第３熱交換器の回動中心側とは反対側である他方側の側部には、回動により開閉する扉が設けられたことを特徴とする。
【発明の効果】
【００１７】
本発明は、第１熱交換器の前方に配置され、空気の流れに対してこの第１熱交換器と直列に配置されるとともに、互いに上下に並列に配置される第２，第３熱交換器を備えるものにおいて、第２，第３熱交換器と第１熱交換器との間に清掃作業スペースを形成する作業を簡単にすることができる。
【発明を実施するための最良の形態】
【００１８】
本発明の作業機械の一実施形態について、図１〜３を用いて説明する。図１は、本発明が採用される作業機械の側面図、図２は、図１に示す機械室の拡大側面図、図３は、図１に示す機械室内を示す側面図である。
【００１９】
本実施形態は、作業機械、例えば図１に示すホイールローダ１に適用したものである。このホイールローダ１は、運転室３および機械室４を有する車体２と、前輪５および後輪６と、前輪５が配置される車体２の前部に上下方向へ回動可能に結合された作業機７とを備えている。
【００２０】
図３に示すように、機械室４内に形成されるスペースの前側は、エンジン９が配置されるエンジンルーム８であり、後側は冷却装置３０が配置されるクーリングルーム１０である。これらエンジンルーム８とクーリングルーム１０とは、騒音を低減するために隔壁１１によって仕切られている。
【００２１】
図２に示すように、エンジンルーム８の側部には、エンジンルーム８の開放を可能にす
る第１扉１２を設けてある。この第１扉１２の上縁部の前後２箇所は、エンジンルーム８
の上部を形成するルームカバー上部４ａに、ヒンジ１３，１４により取付けてあり、これ
によって、第１扉１２は、そのヒンジ１３、１４を中心として上方へ回動可能になってい
る。第１扉１２の下縁部には、第１扉１２を開く際に把持される把持部１５を設けてある
。
【００２２】
クーリングルーム１０の側部には、クーリングルーム１０の開放を可能にする第２扉１
６を設けてある。第２扉１６の後縁部の上下２箇所は、クーリングルーム１０の側部にヒ
ンジ１７，１８により取付けてあり、これによって、第２扉１６は、そのヒンジ１７，１
８を中心として後方へ回動可能になっている。この第２扉１６の前縁部には、第２扉１６
を開く際に把持される把持部１９を設けてある。
【００２３】
また、第２扉１６には、外気をクーリングルーム１０内に取込むための多数の側部吸入
口２０を設けてある。この側部吸入口２０は、第２扉１６の前部を格子状に形成すること
によって設けてある。また、図３に示すように、クーリングルーム１０の上部にも上部吸
入口２１を設けてある。また、クーリングルーム１０の後端には、冷却装置３０からの空
気を排出するための排出口２２を設けてある。この排出口２２は、グリル２３により覆っ
てある。
【００２４】
冷却装置３０は、クーリングルーム１０の後部に配置され油圧モータ（図示しない）に
より駆動されて空気の流れを発生する吸い込み型のファン３１と、空気の流通により冷却
される第１〜第３熱交換器、例えばラジエータ３２、インタークーラ３３およびオイルク
ーラ３４とを備えている。
【００２５】
ラジエータ３２は、ファン３１の前方に配置してある。ラジエータ３２とファン３１は
、支持フレーム４０に固定してある。支持フレーム４０は、機械室４の下部を形成するル
ームカバー下部４ｂ上に立設してある。インタークーラ３３とオイルクーラ３４は、ラジ
エータ３２の前面側に、空気の流れに対してラジエータ３２と直列に配置してあるととも
に、互いに上下に並列に配置してある。
【００２６】
特に本実施形態では、インタークーラ３３を上方に、オイルクーラ３４を下
方に並列配置し、インタークーラ３３の下端部をラジエータ３２から所定の間隔を有して
離れた状態とし、上端部がラジエータ３２に対して近接した状態となるように、インター
クーラ３３をラジエータ３２に対して傾けて配置してある。すなわち、ラジエータ３２と
インタークーラ３３との間に左右両側面部と下面部とが開口する空間４５が形成される。
【００２７】
また、オイルクーラ３４は、図３に示すようにラジエータ３２に対して近接した状態か
ら離れる方向への回動が可能となるように設けてある。つまり、オイルクーラ３４の右側
部の上下２箇所を、ヒンジ３５，３６により支持フレーム４０に取付けて、オイルクーラ
３４をその右側部側を中心として回動可能にしてオイルクーラ３４およびラジエータ３２
の対面する各面を開放できるようにしてある。
【００２８】
また、オイルクーラ３４の左側部および支持フレーム４０の左側部には、オイルクーラ
３４と支持フレーム４０との係脱を可能にするラッチ機構部３７を設けてある。つまり、
同図３に示すようにオイルクーラ３４がラジエータ３２に近接した状態において、支持フ
レーム４０に対するオイルクーラ３４の左側部の固定と、この固定の解除とが可能になっ
ている。
【００２９】
また、オイルクーラ３４は自身がラジエータ３２に近接した状態にあるときにインター
クーラ３３の下端部に近接した位置にあってインタークーラ３３とラジエータ３２との間
に形成される空間４５の下面部において形成される下部開口部４３を塞ぐように配置して
ある。
【００３０】
また、インタークーラ３３の左右両側部は、支持フレーム４０の左右両側部から前方に
延設させた一対のブラケット４１に固定してある。この一対のブラケット４１は、ラジエ
ータ３２とインタークーラ３３との間に形成される空間４５の左右両側部に形成される側
部開口部４４をそれぞれ塞ぐように設けてある。
【００３１】
このように構成した本実施形態では、例えばラジエータ３２の前面を清掃する際、はじめに、作業者は、第２扉１６を回動させてクーリングルーム１０を開放する。次に、ラッチ機構部３７により支持フレーム４０に対してオイルクーラ３４が固定された状態を、解除する。次に、オイルクーラ３４をラジエータ３２から離れる方向へ回動させる。このとき、ラジエータ３２とオイルクーラ３４との間に形成されるスペースが、インタークーラ３３の下端部側の下部開口部４３によって、ラジエータ３２とインタークーラ３３との間に予め形成されている空間４５と連続する。つまり、インタークーラ３３およびオイルクーラ３４とラジエータ３２との間に、清掃作業スペースが形成される。
【００３２】
作業者は、このように形成した清掃作業スペースに、ラジエータ３２等に付着した汚れ
を取除くための清掃用具、例えばエアブローを挿入して清掃を行う。
【００３３】
本実施形態によれば、次の効果を得られる。
【００３４】
本実施形態では、オイルクーラ３４のみをラジエータ３２から離れる方向へ回動させることによって、インタークーラ３３およびオイルクーラ３４とラジエータ３２との間に清掃作業スペースを形成することができる。つまり、インタークーラ３３およびオイルクーラ３４とラジエータ３２との間に清掃作業スペースを形成する作業を簡単に行うことができる。
【００３５】
また、本実施形態では、インタークーラ３３を予め傾けて配置してあるので、隔壁１１とインタークーラ３３との間に、事前に空気を導くための導風スペース４６を確保してこれを確実に形成することができる。
【００３６】
また、本実施形態では、インタークーラ３３の上端部をラジエータ３２に近接させてあるので、インタークーラ３３の上端部側からラジエータ３２とインタークーラ３３との間への空気の浸入を防止できる。
【００３７】
また、本実施形態では、ラジエータ３２とインタークーラ３３との間に形成される空間４５の左右両側面部にそれぞれ形成される側部開口部４４を一対のブラケット４１によって塞いであるので、側部開口部４４のそれぞれからラジエータ３２とインタークーラ３３との間への空気の浸入を防止でき、吸入口２０，２１から吸入される外気を確実にインタークーラ３３へ導くことができる。
【００３８】
また、本実施形態では、クーリングルーム１０の上部に上部吸入口２１を設け、インタークーラ３３を吸入口２１方向に向けて斜め上向きに傾けて配置してあるので、吸入口２１から導入される空気をインタークーラ３３に効果的に導くことができる。
【００３９】
なお、本実施形態では、インタークーラ３３の下端部がラジエータ３２から所定の
距離を有して離れた状態であって、インタークーラ３３の上端部がラジエータ３２に対し
て近接した状態となるように、インタークーラ３３を傾けて配置してあり、インタークー
ラ３３とラジエータ３２との間に形成される空間４５の下面側に形成される下部開口部４
３を、オイルクーラ３４の上端部により塞いであるが、本発明はこれに限るものではなく
、図４に示すように構成してもよい。
【００４０】
図４に示す構成では、オイルクーラ３４を上方位置に、インタークーラ３３を下方位置に配置し、インタークーラ３３の上端部がラジエータ３２から所定の距離を有して離れた状態であって、インタークーラ３３の下端部がラジエータ３２に対して近接した状態となるように、インタークーラ３３を傾けて配置してある。インタークーラ３３とラジエータ３２との間に形成される空間４５の上面部に形成される上部開口部４７は、オイルクーラ３４の下端部をインタークーラ３３の上端部に近接させて配置することで塞いである。インタークーラ３３の左右両側部は、支持フレーム４０の左右両側部から前方へ延設させた一対のブラケット４８に固定してあり、この一対のブラケット４８によって、インタークーラ３３とラジエータ３２との間に形成される空間４５の左右両側面部にそれぞれ形成される側部開口部４９を塞いである。
【図面の簡単な説明】
【００４１】
【図１】本発明が採用される作業機械の側面図である。
【図２】図１に示す機械室の拡大側面図である。
【図３】図１に示す機械室内を示す側面図である。
【図４】図３に示す冷却装置の変形例を示す側面図である。
【符号の説明】
【００４２】
１      ホイールローダ（作業機械）
４      機械室
４ａ    ルームカバー上部
４ｂ    ルームカバー下部
８      エンジンルーム
９      エンジン
１０    クーリングルーム
１１    隔壁
１２    第１扉
１６    第２扉
２０    側部吸入口
２１    上部吸入口
２２    排出口
２３    グリル
３０    冷却装置
３１    ファン
３２    ラジエータ（第１熱交換器）
３３    インタークーラ（第２熱交換器）
３４    オイルクーラ（第３熱交換器）
３５    ヒンジ
３６    ヒンジ
３７    ラッチ機構部
４０    支持フレーム
４１    ブラケット
４３    下部開口部
４４    側部開口部
４５    スペース
４６    導風スペース
４７    上部開口部
４８    ブラケット
４９    側部開口部
【図１】
0004523401.tif 000002
【図２】
0004523401.tif 000003
【図３】
0004523401.tif 000004
【図４】
0004523401.tif 000005